(57)【特許請求の範囲】
【請求項１】
ベッドの枕元の壁面であって、ベッドよりも高い位置に設けられるカードリーダ付収納ユニットであって、
壁面に取付けられ、横の長手方向に細長く延び、医療用配管配線接続端子が収納されるフレームと、
フレームに固定され、カードを挿排するカード挿排口を有し、カード挿排口から挿入されたカードの情報を読取るカードリーダと、
医療用配管配線接続端子を露出してフレームを覆い、さらにカードリーダのカード挿排口を外方に向けて露出するカバーとを含み、
前記カード挿排口は、前記ベッドに横臥する患者が下方から臨むことができる位置に設けられ、
前記カードリーダはケーシングと前記カード挿排口を有するカード挿排部材とを少なくとも含み、
前記ケーシングは、フレームに形成された切欠きに嵌め込まれ、前記フレームに上下変位調整可能に固定され、
前記カード挿排部材は、フレームの下端部に固定されることを特徴とするカードリーダ付収納ユニット。
【請求項２】
ベッドの枕元の壁面であって、ベッドよりも高い位置に設けられるカードリーダ付収納ユニットであって、
壁面に取付けられ、横の長手方向に細長く延びるフレームと、
フレームに固定され、カードを挿排するカード挿排口を有し、カード挿排口から挿入されたカードの情報を読取るカードリーダと、
カードリーダのカード挿排口を外方に露出してフレームを覆うカバーとを含み、
前記カード挿排口は、前記ベッドに横臥する患者が下方から臨むことができる位置に設けられ、
前記カードリーダはケーシングと前記カード挿排口を有するカード挿排部材とを少なくとも含み、
前記ケーシングは、フレームに形成された切欠きに嵌め込まれ、前記フレームに上下変位調整可能に固定され、
前記カード挿排部材は、フレームの下端部に固定されることを特徴とするカードリーダ付収納ユニット。
【請求項３】
フレームに一端部が取付けられ、少なくとも一つの関節軸を有するアームと、
アームの他端部に取付けられる２次元画像を表示する表示手段と、
フレームに収納され、テレビジョン放送を受信して画像信号と音声信号とを出力し、画像信号を表示手段に与えるチューナと、
フレームに収納され、カードリーダの出力に応答し、カードに記録された情報に対応するテレビジョン受信可能な残り時間を演算し、演算された残り時間だけチューナを駆動する時間演算手段と、
チューナからの音声信号を音響化する音響化手段とを含むことを特徴とする請求項１または２記載のカードリーダ付収納ユニット。
【請求項４】
フレームに着脱可能に設けられ、カバーから外方に露出するパネルと、
パネルに設けられ、時間演算手段からの残り時間を表示する残り時間表示手段とを含むことを特徴とする請求項１〜３のいずれかに記載のカードリーダ付収納ユニット。
【請求項５】
カードリーダは、
フレームの下方に臨むカード挿排口を有し、フレームに固定されるカード挿排部材と、
カード挿排部材の上方に設けられ、カードの搬送経路を有し、カード挿排口から挿入されたカードを搬送してカードに記録された時間に関する情報を読取り、カードに情報を書込むことができ、カードをカード挿排口から排出するカードリーダ本体と、
カードリーダ本体を収納し、搬送経路の下端部がカード挿排部材の内方端に近接して配置されるように上下変位調整可能にフレームに固定されるケーシングとを含むことを特徴とする請求項１〜４のいずれかに記載のカードリーダ付収納ユニット。
【請求項６】
フレームに固定され、パネルの内面に当接する取付部を有する取付部材と、
取付部のパネル側の表面に配置され、パネルに形成された取付孔内に設けられ、パネルの厚みとほぼ同一の厚みを有する調整片と、
調整片を介して取付部材に着脱可能に固定されるアームベースとを含み、
アームベースは、
パネルの取付孔よりも大きい底面を有し、取付部に調整片を介在した状態で固定される取付座と、
取付座に連なりアームの前記一端部を着脱可能に支持する支持部とを含むことを特徴とする請求項１〜５のいずれかに記載のカードリーダ付収納ユニット。
【発明の詳細な説明】
【０００１】
【発明の属する技術分野】
本発明は、病院の一般病室および介護・看護施設などにおいて好適に使用されるカードリーダ付収納ユニットに関し、さらに詳しくはテレビジョン視聴用カードの情報を読取るカードリーダおよび医療用配管配線接続端子などを集中して収納するカードリーダ付収納ユニットに関する。
【０００２】
【従来の技術】
近年、病院の一般病室などに置かれているテレビジョンはテレビジョン視聴用カード（以後、カードと呼ぶことがある）をカードリーダに差込むことによって視聴できるようになっている。したがって、テレビジョンの近傍にはカードリーダが設置されている。据置き形テレビジョンの場合、カードリーダはテレビジョンに組込まれて設置されるか、あるいはカードリーダ単体で壁面などに取付けられている。
【０００３】
これに対してベッド毎に設けられているアーム付テレビジョンの場合、カードリーダをテレビジョンに取付けることが寸法的に困難であるので、カードリーダは壁面などに取付けられている。したがって、外観上見栄えが悪いばかりでなく、カードはカードリーダに正面から差込まれるので、カードを差込むときには、ベッドに寝ている患者は起き上がってカードを差込む必要があり、患者に負担がかかる。また酸素などの医療用ガスを供給するガス接続端子、電力を供給する強電用接続端子およびナースコールなどの電気信号の弱電用接続端子はカードリーダとは別に収納ユニットに収納されている。
【０００４】
【発明が解決しようとする課題】
本発明の目的は、外観が良好で、かつ患者が寝たままでカードをカードリーダに挿排することができるコンパクトなカードリーダ付収納ユニットを提供することである。
【０００５】
【課題を解決するための手段】
本発明は、ベッドの枕元の壁面であって、ベッドよりも高い位置に設けられるカードリーダ付収納ユニットであって、
壁面に取付けられ、横の長手方向に細長く延び、医療用配管配線接続端子が収納されるフレームと、
フレームに固定され、カードを挿排するカード挿排口を有し、カード挿排口から挿入されたカードの情報を読取るカードリーダと、
医療用配管配線接続端子を露出してフレームを覆い、さらにカードリーダのカード挿排口を外方に向けて露出するカバーとを含み、
前記カード挿排口は、前記ベッドに横臥する患者が下方から臨むことができる位置に設けられ、
前記カードリーダはケーシングと前記カード挿排口を有するカード挿排部材とを少なくとも含み、
前記ケーシングは、フレームに形成された切欠きに嵌め込まれ、前記フレームに上下変位調整可能に固定され、
前記カード挿排部材は、フレームの下端部に固定されることを特徴とするカードリーダ付収納ユニットである。
【０００６】
本発明に従えば、カードリーダ付収納ユニットは、ベッドの枕元の壁面であって、ベッドよりも高い位置に設けられる。カード挿排口は、ベッドに横臥する患者が下方から臨むことができる位置に設けられる。これによって、患者は起き上がることなくカードをカード挿排口に下方から挿入することができる。カードリーダはケーシングとカード挿排口を有するカード挿排部材とを少なくとも含む。ケーシングは、フレームに形成された切欠きに嵌め込まれ、フレームに上下変位調整可能に固定される。カード挿排部材は、フレームの下端部に固定される。フレームには医療用配管配線接続端子およびカードリーダが収納され、カバーは医療用配管配線接続端子およびカードリーダのカード挿排口を外方に露出してフレームを覆う。これによって、医療用配管配線接続端子およびカードリーダをコンパクトにまとめて収納することができるので、外観を向上することができる。また接続端子およびカードリーダのカード挿排口がカバーから露出しているので、カバーをかぶせた状態でカードをカードリーダに挿排することができる。
【０００７】
また本発明は、ベッドの枕元の壁面であって、ベッドよりも高い位置に設けられるカードリーダ付収納ユニットであって、
壁面に取付けられ、横の長手方向に細長く延びるフレームと、
フレームに固定され、カードを挿排するカード挿排口を有し、カード挿排口から挿入されたカードの情報を読取るカードリーダと、
カードリーダのカード挿排口を外方に露出してフレームを覆うカバーとを含み、
前記カード挿排口は、前記ベッドに横臥する患者が下方から臨むことができる位置に設けられ、
前記カードリーダはケーシングと前記カード挿排口を有するカード挿排部材とを少なくとも含み、
前記ケーシングは、フレームに形成された切欠きに嵌め込まれ、前記フレームに上下変位調整可能に固定され、
前記カード挿排部材は、フレームの下端部に固定されることを特徴とするカードリーダ付収納ユニットである。
【０００８】
本発明に従えば、カードリーダ付収納ユニットは、ベッドの枕元の壁面であって、ベッドよりも高い位置に設けられる。カード挿排口は、ベッドに横臥する患者が下方から臨むことができる位置に設けられる。これによって、患者は起き上がることなくカードをカード挿排口に下方から挿入することができる。カードリーダはケーシングとカード挿排口を有するカード挿排部材とを少なくとも含む。ケーシングは、フレームに形成された切欠きに嵌め込まれ、フレームに上下変位調整可能に固定される。カード挿排部材は、フレームの下端部に固定される。フレームにはカードリーダが固定され、カバーはカードリーダのカード挿排口を外方に露出してフレームを覆う。これによって、カードリーダをコンパクトにまとめて収納することができるので、外観を向上することができる。またカードリーダのカード挿排口がカバーから露出しているので、カバーをかぶせた状態でカードをカードリーダに挿排することができる。
【０００９】
また本発明は、フレームに一端部が取付けられ、少なくとも一つの関節軸を有するアームと、
アームの他端部に取付けられる２次元画像を表示する表示手段と、
フレームに収納され、テレビジョン放送を受信して画像信号と音声信号とを出力し、画像信号を表示手段に与えるチューナと、
フレームに収納され、カードリーダの出力に応答し、カードに記録された情報に対応するテレビジョン受信可能な残り時間を演算し、演算された残り時間だけチューナを駆動する時間演算手段と、
チューナからの音声信号を音響化する音響化手段とを含むことを特徴とする。
【００１０】
本発明に従えば、フレームにアームの一端部が取付けられ、アームの他端部に表示手段、たとえば液晶モニタが取付けられる。アームは少なくとも一つの関節軸を有するので、表示手段を所望の位置に移動させることができる。フレームにはチューナが収納され、チューナはテレビジョン放送の画像信号を表示手段に与えるとともに、音声信号を音響化手段、たとえばスピーカに与える。フレームには、さらに時間演算手段が収納され、時間演算手段はカードに記録された情報に対応するテレビジョン受信可能な残り時間を演算する。これによって、医療用配管配線接続端子、カードリーダおよびチューナをコンパクトにまとめて収納することができるので、外観を向上することができる。
【００１１】
また本発明は、フレームに着脱可能に設けられ、カバーから外方に露出するパネルと、
パネルに設けられ、時間演算手段からの残り時間を表示する残り時間表示手段とを含むことを特徴とする。
【００１２】
本発明に従えば、パネルには残り時間表示手段が設けられ、残り時間表示手段は時間演算手段で演算された残り時間を表示するので、たとえばベッドに寝ている患者がテレビジョンの受信可能な残り時間を知ることができる。
【００１３】
また本発明で、カードリーダは、
フレームの下方に臨むカード挿排口を有し、フレームに固定されるカード挿排部材と、
カード挿排部材の上方に設けられ、カードの搬送経路を有し、カード挿排口から挿入されたカードを搬送してカードに記録された時間に関する情報を読取り、カードに情報を書込むことができ、カードをカード挿排口から排出するカードリーダ本体と、
カードリーダ本体を収納し、搬送経路の下端部がカード挿排部材の内方端に近接して配置されるように上下変位調整可能にフレームに固定されるケーシングとを含むことを特徴とする。
【００１４】
本発明に従えば、カード挿排部材はフレームの下方に臨むカード排出口を有しているので、たとえばベッドに寝ている患者はベッドに寝たままでカード配送口に下方からカードを差込むことができる。したがって、ベッドから起き上がる必要がなく、患者の負担を軽減することができる。またケーシングは、カード処理手段の搬送経路の下端部がカード挿排部材の内方端に近接して配置されるように上下変位調整可能であるので、搬送経路の下端部とカード挿排部材の内方端とを当接させて両者間の距離が最短になるように調整することができる。したがって、カード挿排部材から外方へのカードの突出距離を充分に確保することができる。
【００１５】
また本発明は、フレームに固定され、パネルの内面に当接する取付部を有する取付部材と、
取付部のパネル側の表面に配置され、パネルに形成された取付孔内に設けられ、パネルの厚みとほぼ同一の厚みを有する調整片と、
調整片を介して取付部材に着脱可能に固定されるアームベースとを含み、
アームベースは、
パネルの取付孔よりも大きい底面を有し、取付部に調整片を介在した状態で固定される取付座と、
取付座に連なりアームの前記一端部を着脱可能に支持する支持部とを含むことを特徴とする。
【００１６】
本発明に従えば、取付部材はフレームに固定され、アームベースは調整片を介して取付部材に固定され、アームベースの支持部はアームの一端部を着脱可能に支持する。これによって、アームベースはフレームに取付部材および調整片を介して強固に固定されるので、アームの他端部に比較的重量の重い表示手段が設けられても、確実に支持することができる。
【００１７】
【発明の実施の形態】
図１は、本発明の実施の第１形態であるカードリーダ付収納ユニット１の全体の構成を簡略化して示す斜視図である。カードリーダ付収納ユニット１（以後、収納ユニットと略称することがある）は基本的に、フレーム２と、このフレーム２を覆うカバー３と、フレーム２を一般病室などの建物の壁面１６に固定するための取付部材４などとを含む。フレーム２は、横の長手方向に細長く延びる。フレーム２にはカードリーダ１６０およびチューナ１６１が固定されるとともに、接続端子５が収納される。チューナ１６１は、テレビジョン放送を受信して画像信号と音声信号とを出力する。カバー３は、接続端子５を露出する開口部６を有する。
【００１８】
図２は、図１に示すカードリーダ付収納ユニット１の正面図である。前記図１は図解の便宜上簡略化して示しているので、図２と一致していない部分がある。収納ユニット１は、表示手段、たとえばテレビジョン放送の画像を表示する液晶モニタ１６４（以後、液晶モニタと呼ぶ）を備える。液晶モニタ１６４は、チューナ１６１からの画像信号を２次元画像として表示する表示手段である。液晶モニタ１６４は、取付手段１６５を介してクレーム２に取付けられる。取付手段１６５の構成については後述する。
【００１９】
収納ユニット１に収納される接続端子５は、交流電源のコンセントである強電用接続端子５ａおよびナースコールスイッチなどの信号線の弱電用接続端子５ｂを含む。さらに接続端子５は、医療用ガス、たとえば酸素、笑気ガスおよび空気などの接続端子および真空吸引をする端子などを含み、これらのガス接続端子５ｃはカバー装置７で覆われている。さらに接続端子５は、チューナ１６１から液晶モニタ１６４に映像信号を送る信号線の接続端子５ｄおよび遠隔操作手段１６７に音声信号を送る信号線の接続端子５ｅを含む。遠隔操作手段１６７（以後、リモコンと呼ぶ）は、テレビジョン放送の選局ボタン１６８と、音響化手段であるスピーカ１６９と、電源スイッチとを含む。スピーカ１６９は、チューナ１６１からの音声信号を音響化する。
【００２０】
フレーム２の前面には複数のパネル１１が着脱可能に固定されている。複数のパネル１１は、第１〜第５パネル１１ａ〜１１ｅから成り、各パネル１１ａ〜１１ｅはカバー３の開口部６から露出している。以後、パネルを総括的に表すときには参照符１１を用い、個別的に表すときには添字ａ〜ｅを付して表す。第１パネル１１ａは、収納ユニット１の一端部（図２の左方）に設けられており、それには取付孔１７０（図１２参照）が形成されている。後述のように取付手段１６５は、取付孔１７０を介してフレーム２に固定される。
【００２１】
第２パネル１１ｂには、接続端子５ｄ，５ｅが取付けられており、第２パネル１１ｂの内方にはカードリーダ１６０およびチューナ１６１が設けられている。さらに第２パネル１１ｂには、残り時間表示手段である残り時間表示盤１７１が設けられており、残り時間表示盤１７１には、押釦１７２とランプ１７３とが設けられている。これらの動作については後述する。さらに第２パネル１１ｂには、患者のネームプレート１７４および起伏可能な吊り具１７５が設けられている。隣接するパネル１１相互間にはスペーサ１０２が設けられている。フレーム２の下部には読書灯１１２が設けられており、カバー３の読書灯１１２を臨む位置には、照明部材１１６が設けられている。カードリーダ１６０は、下部にカード挿排部材１９１を備えており、カード挿排部材１９１はカバー３から露出している。
【００２２】
図３は、図２の切断面線ＩＩＩ−ＩＩＩから見た断面図である。フレーム２は基本的に背面板１２と、背面板１２から前方（図１および図３の左方）に突出する上仕切板１３と、上仕切板１３の下方で背面板１２から前方に突出する下仕切板１４とを含む。背面板１２の上部１５には壁面１６から離間した凹所１７が形成される。この凹所１７内には、前記上部１５から後方（図１および図３の右方）になるにつれて下方に傾斜した係合片１８が形成される。このフレーム２は、たとえばアルミニウムまたはその合金などの金属材料から成り、押出し成形によって長尺材として製造される。
【００２３】
取付部材４は、壁面１６にビスなどが挿通されて固定される取付部１９と、取付部１９の上端部から前方（図３の左方）になるに連れて、上方に傾斜して延びる係合受部２０とを有する。係合受部２０上に係合片１８が乗って係合することによって、フレーム２が壁面１６に固定される。背面板１２の上部１５と上仕切板１３とによって上収納空間２１が形成される。背面板１２と上下の仕切板１３，１４によって中間収納空間２２が形成される。背面板１２と下仕切板１４とによって下収納空間２３が形成される。
【００２４】
図４は、カバー３の分解した状態を示す正面図である。カバー３は、長手方向（図４の左右方向）に平行な第１対象面２４に関して対称な上下一対の上カバー部材２５、および下カバー部材２６と、長手方向に垂直な第２対象面２７に関して対称な左右一対の側板２８，２９とを有する。
【００２５】
下カバー部材２６には、照明部材１１６が装着される透孔１１４とカード挿排部材１９１が露出する切欠き１７６とが形成されている。切欠き１７６は、カード挿排部材１９１を露出させる。切欠き１７６の縁にはカバー片１７７が取付けられている。カバー片１７７は、シリコンゴム、ウレタンゴムおよび塩化ビニールシートなどから成る。カバー片１７７の取付けによって、切欠き１７６とカード挿排部材１９１との隙間が覆われるので、外観を向上させることができる。
【００２６】
上および下カバー部材２５，２６はアルミニウムまたはその合金などの金属製であって、押出し成形によって製造される。側板２８，２９は、たとえばＡＢＳ樹脂などの合成樹脂製であり、射出成形によって製造される。上および下カバー部材２５，２６と側板２８，２９とは接着剤などによって一体的に固定される。
【００２７】
図５は、図２の切断面線Ｖ−Ｖから見た断面図であり、図６は図２に示すカードリーダ付収納ユニット１の一端部付近におけるカバー３およびパネル１１を取除いた状態を示す正面図である。図５および図６を参照して、カードリーダ１６０およびチューナ１６１の取付部付近の構成について説明する。カードリーダ１６０の取付部においては、フレーム２の上および下仕切板１３，１４に第１および第２切欠き１７８，１７９がそれぞれ形成されており、チューナ１６１の取付部においてはフレーム２の上仕切板１３に第３切欠き１８０が形成されている。
【００２８】
カードリーダ１６０はケーシング１８４を備えており、ケーシング１８４には取付片１８５が上下左右４箇所に設けられている。取付片１８５には上下に延びる長孔１８５ａが形成されている。カードリーダ１６０のケーシング１８４は、第１および第２切欠き１７８，１７９に嵌め込まれ、取付片１８５を介してフレーム２の背面板１２に着脱可能に螺合される。チューナ１６１は、取付板１８７を有している。チューナ１６１は、下仕切板１４の上方に設けられており、チューナ１６１の上部は第３切欠き１８０に嵌め込まれている。チューナ１６１は、取付板１８７に挿通されたボルトによってフレーム２の背面板１２に着脱可能に螺合される。
【００２９】
このように、本実施の形態の収納ユニット１には、カードリーダ１６０、チューナ１６１、取付手段１６５、液晶モニタ１６４、強電用接続端子５ａ、弱電用接続端子５ｂ、ガス接続端子５ｃ、映像信号線接続端子５ｄ、リモコン接続端子５ｅ、読書灯１１２、残り時間表示盤１７１、ネームプレート１７４および吊り具１７５がコンパクトにまとめられて集中して収納されているので、外観を向上することができる。
【００３０】
図７は、カードリーダ１６０の構成を簡略化して示す分解斜視図である。図７は下方から見た斜視図である。図６をも参照して、カードリーダ１６０の構成および位置決め方法について説明する。カードリーダ１６０は、カードリーダ本体１９０とケーシング１８４と、カード挿排部材１９１とを含む。
【００３１】
カード挿排部材１９１は、フレーム２の下方に臨むカード挿排口１９３を有し、その上部には左右一対の取付片１９４が設けられている。カード挿排口１９３は、テレビジョン視聴用カードを挿排するためのゲートである。カード挿排口１９３から挿排されるカードは、合成樹脂製の薄板から成り、その形状は細長い長方形である。カードの寸法は、たとえば８．５ｃｍ×５．４ｃｍであって、たとえばクレジットカードとほぼ同様な外形の形状を有する。カードは、カード挿排口１９３を介して長手方向に沿って挿排される。カード挿排部材１９１はフレーム２の背面板１２の下端部に固定される。カード挿排部材１９１の固定は、ボルト１９５を取付片１９４に挿通し、背面板１２のねじ孔１９６に螺合することによって行われる。
【００３２】
カードリーダ本体１９０は、カード挿排部材１９１の上方に設けられ下端部から上方に延びるカード搬送経路１９７を有する。カード挿排口１９３から挿入されたカードは下方から上方に搬送される。カードリーダ本体１９０は、ケーシング１８４内に収納されており、その下端部はケーシング１８４の下端部から下方に部分的に突出している。カードリーダ本体１９０の構成については後述する。
【００３３】
ケーシング１８４は、背面板１２に固定される。ケーシング１８４の固定は、ボルト１８６を取付片１８５の長孔１８５ａに挿通し、背面板１２のねじ孔１８６ａに螺合することによって行われる。したがって、ケーシング１８４は長孔１８５ａの長さ分だけ上下変位調整可能にフレーム２の背面板１２に固定される。本実施の形態では、ケーシング１８４の位置は、図８に示すようにカードリーダ本体１９０の下端面がカード挿排部材１９１の内方端１９８に近接して配置されるように調整される。近接して配置される状態には、当接した状態も含む。
【００３４】
このように、ケーシング１８４の位置が上下方向に調整可能であるので、カードリーダ本体１９０の下端面とカード挿排部材１９１の内方端１９８とを当接させて、カード挿排口１９３とカード搬送経路１９７とを隙間なく接続させることができる。したがって、カードの挿排を円滑に行うことができる。またカードの排出時にカード挿排部材１９１からのカードの突出長さを充分確保することができ、カードの取出しを円滑に行うことができる。
【００３５】
図９は、収納ユニット１の設置位置を示す斜視図である。本実施の形態では収納ユニット１は図９（１）に示すようにベッド１６３の枕元の壁面１６に設置される。また収納ユニット１の高さはベッド１６３よりも高い位置に設けられる。これによって、患者はカードリーダ１６０のカード挿排口１９３を下方から臨むことができるので、液晶モニタ１６４を見たいときには起き上がることなく、カードをカード挿排口１９３に下方から挿入することができる。前述のように、下カバー部材２６の切欠き１７６とカード挿排部材１９１との隙間がカバー片１７７によって塞がれているので、カード挿排部材１９１を下方から眺めても美観が損なわれない。またカードが下方から上方に向けて差込まれるので、収納ユニット１の壁面１６からの突出高さＨを低くすることができ、収納ユニット１を小形化することができる。
【００３６】
ベッド１６３が病室のコーナ部に設置されているときには、本発明の他の実施の形態として、図９（２）に示すように収納ユニット１をベッド１６３の側方の壁面１６に設置してもよい。これによって、操作がしやすくなる。
【００３７】
図１０は、図７に示すカードリーダ本体１９０の構成を簡略化して示す平面図である。カードリーダ本体１９０は、磁気ヘッド２０３と搬送手段である搬送ローラ２０４とを備え、カード搬送経路１９７を有する。磁気ヘッド２０３は、カードに記録された時間に関する情報を読取って、カードに新たな時間情報を書込むことができる。搬送ローラ２０４はカード挿排口１９３から挿入されたカードを搬送し、新たな時間情報を書込まれたカードをカード挿排口１９３から排出する。
【００３８】
図１１は、カードリーダ１６０およびチューナ１６１の電気的構成を示すブロック図である。フレーム２には時間演算手段であるマイクロコンピュータ（以後、処理回路２０６と呼ぶ）が収納されている。カードをカード挿排口１９３から挿入すると磁気ヘッド２０３がカードの情報を読取り、その内容を表す信号を処理回路２０６に送る。処理回路２０６は、磁気ヘッド２０３の出力に応答し、カードに記録された情報に対応するテレビジョン受信可能な残り時間を時間演算部２０６ａで演算し、残り時間表示盤１７１に送る。カード挿入後、リモコン１６７の電源スイッチを押してテレビジョンをつけると、ランプ１７３が点灯するとともに、押圧信号が処理回路２０６に送られる。処理回路２０６は、リモコン１６７の電源スイッチの出力に応答し、チューナ１６１を駆動するとともに、時間経過につれてテレビジョン受信可能な残り時間を演算して残り時間表示盤１７１に送る。
【００３９】
チューナ１６１は、処理回路２０６の出力に応答し、テレビジョン放送を受信して画像信号と音声信号とを出力する。このうち画像信号は、接続端子５ｄおよび可撓ライン２０７を介して液晶モニタ１６４に送信され、音声信号は接続端子５ｅおよび可撓ライン２０８を介してリモコン１６７のスピーカ１６９に送信される。残り時間表示盤１７１は、処理回路２０６の出力に応答し、テレビジョン受信可能な残り時間を表示する。処理回路２０６は、さらに前記演算された残り時間だけチューナ１６１を駆動し、残り時間が零になるとチューナ１６１の駆動を停止する。患者がリモコン１６７をオフにすると、テレビジョンの受信が中止され、残り時間表示盤１７１の押釦１７２を押すとランプ１７３が消えて、カードがカード挿排口１９３から排出される。
【００４０】
図１２は、図２に示す取付手段１６５の構成を簡略化して示す分解斜視図である。取付手段１６５は、取付部材２１０と、調整片２１１と、アームベース２１２と、アーム２１３とを含んで構成される。取付部材２１０は、第１パネル１１ａと背面板１２との間に設けられ、背面板１２にボルト２１４によって着脱自在に螺合される。第１パネル１１ａには、取付孔１７０が形成されており、取付孔１７０には調整片２１１が嵌め込まれている。取付孔１７０および調整片２１１の形状は正方形である。取付孔１７０の一辺の長さＡ１は調整片２１１の一辺の長さＡ２よりも大きく、調整片２１１の板厚ｄ２は第１パネル１１ａの板厚ｄ１とほぼ同一である。アームベース２１２は、調整片２１１を介して取付部材２１０にボルト２１５によって着脱自在に螺合される。アーム２１３は、アームベース２１２のアーム取付孔２１６に嵌合される。
【００４１】
図１３は、図１２に示す取付部材２１０および調整片２１１の側面図であり、図１４は図１３の平面図である。図１２をも参照して、取付部材２１０は、背面板１２の長手方向に沿って延びる上下一対の取付片２１８と、取付片２１８に連なり、背面板１２に対して垂直に前方に延びる上下一対の立上り部２１９と、上下一対の立上り部２１９に連なり、両者を連結する取付部２２０とを含む。取付片２１８には、挿通孔２２１が形成されており、挿通孔２２１にはボルト２１４が挿通される。ボルト２１４は、取付片２１８と背面板１２とを着脱自在に螺合する。取付部２２０は、背面板１２に対して平行に延び、その前面は第１パネル１１ａの内面に当接する。取付部２２０には、ねじ孔２２２が形成されている。調整片２１１は、取付部２２０の前面に当接して配置され、前述のように第１パネル１１ａの取付孔１７０に嵌込まれる。調整片２１１には、取付部２２０のねじ孔２２２に対応する位置にボルト挿通孔２２３が形成されている。
【００４２】
図１５は、図１２に示すアームベース２１２の正面図であり、図１６は図１５の平面図であり、図１７は図１５の切断面線ＸＶＩＩ−ＸＶＩＩから見た断面図である。アームベース２１２は、取付座２２５と、取付座２２５に連なり、アーム２１３の一端部を着脱可能に支持する支持部２２６とを含む。取付座２２５は底面の形状が正方形の板状体であり、その一辺の長さＡ３はパネル１１ａの取付孔１７０の一辺の長さＡ１よりも大きい。取付座２２５にはボルト挿通孔２２７が形成されており、ボルト挿通孔２２７にはボルト２１５が挿通される。ボルト２１５は調整片２１１のボルト挿通孔２２３を介して取付部２２０のねじ孔２２２にねじ込まれ、取付座２２５と取付部２２０とを調整片２１１を介して着脱自在に螺合する。支持部２２６には、上下に延びるアーム挿通孔２２８が形成されている。アーム挿通孔２２８は、図１７に示すように段付孔である。
【００４３】
図１８は、図１２に示すアーム２１３の構成を簡略化して示す模式図である。アーム２１３は、少なくとも一つの関節軸を有するアームであり、本実施の形態では第１〜第５アーム２１３ａ〜２１３ｅと、第１〜第４関節軸２３０ａ〜２３０ｄとを含んで構成される。第１アーム２１３ａはアーム２１３の一端部を形成し、支持部２２６のアーム挿通孔２２８に挿通される。第１アーム２１３ａは、上下に延びる段付アームである。したがって、第１アーム２１３ａを段付孔であるアーム挿通孔２２８に挿通すると、段がストッパとなり、第１アーム２１３ａの下方への抜落ちが防止される。
【００４４】
第１関節軸２３０ａは、水平軸線を有しており、第１アーム２１３ａと上下に延びる第２アーム２１３ｂとを連結する。第２アーム２１３ｂは、第１関節軸２３０ａまわりに揺動可能である。第２関節軸２３０ｂは、水平軸線を有しており第２アーム２１３ｂと水平に延びる第３アーム２１３ｃとを連結する。第３アーム２１３ｃは第２関節軸２３０ｂまわりに揺動可能である。第３関節軸２３０ｃは水平軸線を有しており、第３アーム２１３ｃと第４アーム２１３ｄとを連結する。
【００４５】
第４アーム２１３ｄはＬ字状の形状を有しており、水平に延びるアーム部分と第３関節軸２３０ｃとが連結され、上下に延びるアーム部分と第４関節軸２３０ｄとが連結される。第４アーム２１３ｄは、第３関節軸２３０ｃの軸線まわりに揺動可能である。第４関節軸２３０ｄは、第４アーム２１３ｄと第５アーム２１３ｅとを連結する。第５アーム２１３ｅは、アーム２１３の他端部を形成し、その先端には液晶モニタ１６４が取付けられている。第５アーム２１３ｅは第４関節軸２３０ｄの軸線まわりに揺動可能である。したがって液晶モニタ１６４は第４関節軸２３０ｄの軸線まわりに揺動可能である。
【００４６】
このようにアーム２１３は、５つのアームと４つの関節軸とを有しているので、液晶モニタ１６４の位置および角度が希望する位置および角度になるように液晶モニタ１６４を自在に移動させることができる。液晶モニタ１６４の移動は、患者がハンドル２３１をつかんでアーム２１３を伸縮させることによって行われる。またアームベース２１２は調整片２１１および取付部材２１０を介してフレーム２の背面板１２に強固に固定され、かつアームベース２１２にはアーム２１３の一端部が装着され、さらにアーム２１３の他端部には液晶モニタ１６４が取付けられるので、取付手段１６５は液晶モニタ１６４の重量が比較的重くても液晶モニタ１６４を確実に支持することができる。
【００４７】
図１９は、カバー３の内方から見た側板２８の正面図である。図２０は図１９の切断面線ＶＩ−ＶＩから見た断面図であり、図２１は図１９の切断面線ＶＩＩ−ＶＩＩから見た断面図であり、図２２は図１９の切断面線ＶＩＩＩ−ＶＩＩＩから見た断面図であり、図２３は図１９の切断面線ＩＸ−ＩＸから見た断面図である。側板２８は、その前周縁部で屈曲した覆い部３１が形成され、また後周縁部には僅かな覆い部３２が形成される。覆い部３１の内方には、上および下カバー部材２５，２６を挟持して取付ける取付支持片３３，３４；３５，３６が形成される。図２１の挟持溝３６ａには下カバー部材２６が嵌まり込み、図２３の挟持溝３３ａには上カバー部材２５が嵌まり込む。側板２８の上部には、支持凸部４１が形成される。
【００４８】
図２４は、側板２８に形成される支持凸部４１の拡大正面図である。図２５は、図２４の切断面線ＸＩ−ＸＩから見た断面図である。支持凸部４１は、フレーム２の長手方向（図１９および図２４の紙面に垂直方向）に延びて形成される。覆い部３１と支持凸部４１との間には、上カバー部材２５の長手方向端部が嵌まり込む挟持溝４２が形成される。支持凸部４１は、図３に示されるように、背面板１２の上部１５に形成された壁面１６との間の支持凹所４３に嵌まり込んで長手方向に平行な水平軸線まわりに角変位することができる。もう１つの側板２９もまた、側板２８と対称に構成される。支持凹所４３は、背面板１２の上部１５の壁面１６側に屈曲して延びる頂部４４と、前記壁面１６との間に形成される。支持凸部４１が支持凹所４３に嵌合して支持され、これによってカバー３の下部が前記壁面１６よりも後述の図３２の参照符４５で示されるように前方（図３および図３２の左方）へ変位するように、カバー３が横の軸線まわりに揺動可能になる。
【００４９】
図２６は下カバー部材２６の側面図であり、図２７は図２６のセクションＸＩＩＩの拡大側面図である。下カバー部材２６の下部には、係止部４７が形成される。この係止部４７は、上方にかつ前方に向かって臨む凹部４８を有する。係止部４７は、係止端部４９と、係止端部４９の下部に連なる下制限部５０とを有する。下カバー部材２６と下制限部５０との間には、嵌入溝５１が形成される。
【００５０】
図２８は、図２６のセクションＸＩＶの拡大側面図である。下カバー部材２６には、内面から隆起した一対の突起１２２，１２３が下カバー部材２６の長手方向（図２６および図２８の紙面に垂直方向）に沿って延びる。これらの突起１２２，１２３によって、固定用溝１２１が形成される。カバー３の開口部６側の突起１２２には、支持突起１２４が形成される。この支持突起１２４は、下仕切板１４の図３３に示される第１前端部７７における角変位空間８０よりも下方に突出した受突起１２５上に当接して支持される。もう１つの上カバー部材２５もまた、下カバー部材２６と同様に構成され、この上カバー部材２５の支持突起１２４は、上仕切板１３の図３４に示される保持体８５に形成された受突起１２６に当接して支持される。
【００５１】
図２９はフレーム２の下部に設けられる係止爪部材５２の側面図であり、図３０は係止爪部材５２の正面図である。係止爪部材５２は、背面板１２の下仕切板１４よりも下方に嵌合して取付けられる。この係止爪部材５２は、たとえばＡＢＳ樹脂などの合成樹脂材料から成り、弾発性を有する。係止爪部材５２の取付部５３は、図２９に明らかに示されるようにその断面がほぼＨ字状であり、背面板１２に形成された挿入孔５４（後述の図３１参照）に拡大部５６を嵌め込んで背面板１２の長手方向に延びるスリット５５にずらすことによって、このスリット５５に連結支持部５７が嵌まり込み、これによって係止爪部材５２が背面板１２に取付けられる。取付基部５３には垂直に立上り部５８が連なり、その立上り部５８の端部に係止爪５９が連なる。係止爪５９の係止面６０は、立上り部５８から下方にかつ背後に向かって、すなわち壁面１６に向かって臨む。
【００５２】
前述の図２７に示される係止部４７の凹部４８には、係止爪５９が係止する。係止爪５９と係止部４７との図２７の上下方向への相互の離間によって、係止状態を解除することができる。
【００５３】
係止部４７の係止端部４９は、係止爪５９の係止面６０よりも背後（図２７の右方）にあり、係止爪５９に弾発的に当接する。この係止端部４９は、長手方向（図２７の紙面に垂直方向）に垂直な仮想平面（すなわち図２７の紙面）内で丸みをおびた形状を有する。これによって係止爪５９の係止面６０の端部６１が、丸みをおびた係止端部４９に案内されて、凹部４８に円滑に到達することができる。この係止部４７の下制限部５０は、係止端部４９の下部に連なる。下制限部５０は、係止爪５９の前記端部６１が下方に変位することを制限する。これによって下カバー部材２６の下部６２（図２７参照）が下方に弾発的に変位されたとき、係止爪５９の係止面６０が係止端部４９から離脱することが容易になる。
【００５４】
カバー３の下カバー部材２６には、壁面１６の間に隙間６３を形成するための後方（図２７の右方）に開放した切欠き６４が形成される。この切欠き６４は、長手方向に間隔をあけて複数（たとえばこの実施の形態では図３１に明らかに示されるように合計３）形成される。各切欠き６４は、係止爪５９に対応する。
【００５５】
本実施の形態の収納ユニット１を壁面１６に取付けて施工するにあたっては、図３１に示すようにまず壁面１６に取付部材４の取付部１９をビス等を用いて壁面１６に、水平に横に延びるように固定する。次にフレーム２の係合片１８を、取付部材４の係合受部２０に係合し、こうしてフレーム２を壁面１６に固定する。その後カバー３の側板８に形成されている支持突部４１は、フレーム２の図３に示す支持凹所４３に嵌合して支持した状態とする。このことはもう１つの側板２９に関しても同様である。
【００５６】
図３２は、図２の切断面線ＸＸＸＩＩ−ＸＸＸＩＩから見た断面図である。図３２には、カバー３をフレーム２に取付けて施工し、または保守点検のためにカバー３をフレーム２から取外す状態が示されている。支持凹所４３に支持突部４１が嵌合してカバー３が支持された状態で、カバー３の下部６２を壁面１６に向かって矢符６５のように角変位する。これによって、図２９に示す係止爪５９の円弧状の外周部６６に係止部４７の係止端部４９が接触して下カバー部材２６および爪部材５２の弾発力によって相互に変位し、このカバー３を矢符６５の方向にさらに押込むことによって、図３および図３２に示されるように係止爪５９と係止部４７とが係止して係止状態になる。こうしてカバー３をフレーム２に取付ける施工作業が完了する。
【００５７】
接続端子５などの保守点検のためにカバー３をフレーム２から取外すにあっては、まず係止解除工具６７を準備する。この係止解除工具６７は、先端部６８と、この先端部６８に連なる基端部６９とがほぼ垂直に屈曲部７０で連なり、全体の形状がほぼＬ字状に形成される。係止解除工具６７の先端部６８は、切欠き６４によって形成された隙間６３からカバー３内に挿入し、係止解除工具６７の屈曲部７０を壁面１６に当接したままで、その基端部６９の屈曲部７０から遠ざかった部分７１を、壁面１６に近接する方向７２に押す。したがって、カバー３の下カバー部材２６の下部６２が、先端部６８によって外方７３に弾発的に変形される。したがって、係止爪５９の係止面６０から係止部４７の係止端部４９が図２７および図３２の下方に変位し、係止爪５９と係止部４７との係止状態が解除される。これによってカバー３を図３２の矢符６５とは逆方向に揺動し、カバー３をフレーム２から取外すことができる。
【００５８】
図３３は、下仕切板１４の拡大した側面図である。下仕切板１４の第１前端部７７には基本的に、第１前支持部７８と、取付支持体７９とが形成される。取付支持体７９は、第１前支持部７８に連なってその第１前支持部７８の下部で角変位空間８０を形成する。この取付支持体７９は、角変位空間８０内に下方に臨む第１支持部８１と、角変位空間８０の前方（図３３の左方）でかつ第１支持部８１よりも下方に形成される第２支持部８２とを含む。前支持部７８と第２支持部８２との前後方向（図３３の左右方向）の間隔Ｌ１は、第１および第２支持部８１，８２の上下の間隔Ｌ２と等しく、これらの間隔Ｌ１，Ｌ２は、パネル１１の厚みｄ１に等しい（ｄ１＝Ｌ１＝Ｌ２）。
【００５９】
図３４は、上仕切板１３の拡大側面図である。上仕切板１３の第２前端部８３には、第２前支持部８４と、第２前支持部８４の上方に連なる保持体８５とが形成される。保持体８５には、保持用凹溝８６が、前方（図３４の左方）に臨んで形成される。この保持用凹溝８６は、ナット案内部８７と、ナット案内部８７の前方に形成される抜止め部８８とを含む。
【００６０】
図３５は、上仕切板１３の保持体８５に形成された保持用凹溝８６に収納されるナット８９と介在片９０とを示す斜視図である。ナット８９は、その軸線に直角な断面が六角形の外形を有し、ナット案内部８７に嵌め込まれる。複数のナット８９の間隔は、これらのナット８９間に配置される介在片９０によって保たれる。この介在片９０は、ナット案内部８７に挿入され、ナット８９間の距離を、予め定める値に保つ。
【００６１】
再び図３を参照して、パネル１１は、接続端子５が臨む透孔が形成され、または接続端子５が取付けられる装着部９１と、この装着部９１の下部の立上り部９２に連なる下取付部９３と、立上り部９４に連なる上取付部９５とを含む。パネル１１をフレーム２に取付け、または取外すにあたっては、このパネル１１の下端部である下取付部９３が下仕切板１４の第１前端部７７に形成された角変位空間８０内に嵌まり込んでこのパネル１１の上端部である第２前端部８３が前方に後述の図４１に示されるように突出するように、揺動可能に取付けられる。このパネル１１が図４１の参照符９６で示されるように、ほぼ水平に倒されて前方に突出した姿勢において、パネル１１が、フレーム２から脱落するおそれはない。このときパネル１１の下取付部３は、図３３に示されるように第１支持部８１と第２支持部８２とによって支持される。
【００６２】
パネル１１をボルト９７を用いてフレーム２に固定するにあたっては、後述の図４１の前方に突出した姿勢９６を有するパネル１１を垂直に起立した姿勢とし、パネル１１の上取付部９５に予め挿通したボルト挿通孔に、ボルト９７を挿通し、上仕切板１３の保持体８５の保持用凹溝８６に挿入されたナット８９に、ボルト９７を螺合する。これによってパネル１１の下取付部９３は、第１前端部７７の第１前支持部７８に当接し、またパネル１１の上取付部９５は、保持体８５の第２前支持部８４に当接し、フレーム２に強固に固定される。
【００６３】
図３６は、下仕切板１４の図３３におけるセクションＸＸＩＩの拡大側面図である。下仕切板１４には、背面板１２寄りで、フレーム２の長手方向（図３６の紙面に垂直方向）に延びる保持部９９が形成される。この保持部９９は、下仕切板１４に垂直である係止端部１００と、係止端部１００よりも前方（図３６の左方）で、後方（図３６の右方）になるにつれて中間収納空間２２内に隆起した丸みをおびた外周部１０１とを有する。
【００６４】
図３７は、スペーサ１０２の側面図である。図３８（１）はスペーサ１０２の正面図であり、図３８（２）はスペーサ１０２の底面図であり、図３８（３）は図３８（１）の切断面線Ａ２４−Ａ２４から見た断面図である。さらに図３９は、スペーサ１０２の背面図である。これらの図面を参照して、スペーサ１０２は、横に隣接するパネル１１相互間に介在され、これらのパネル１１間の隙間を塞ぎ、中間収納空間２２にごみなどの異物が侵入することを防ぐ。スペーサ１０２は、パネル１１の端面間に配置される突条１０３と、この突条１０３にパネル１１の背後（図３７の右方）で、すなわち中間収納空間２２側で、フレーム２の長手方向両方向（図３７の紙面に垂直方向、図３８（１）、図３８（２）および図３９の左右方向）に突出して連なる一対の側方突片１０４とを含む。スペーサ１０２の下端部は、図３３に関連して前述した下仕切板１４の取付支持体７９の角変位空間８０に嵌まり込んで、スペーサ１０２の上端部１０６が、図４１に示されるパネル１１と同様に前方に突出するように揺動可能であり、これによってスペーサ１０２がフレーム２から脱落することが防がれる。スペーサ１０２の上端部１０６には、一対の嵌合片１０７が形成される。
【００６５】
図４０は、スペーサ１０２の上端部１０６に形成された嵌合片１０７の拡大した側面図である。嵌合片１０７は、図３４に示される上仕切板１３の保持体８５に形成された保持用凹溝８６に着脱可能に弾発的に嵌合する。嵌合片１０７は、図３７および図４０に明らかに示されるように、上下に間隔をあけて、背後（図３７および図４０の右方）に突出して形成された一対の突片１０８から成る。突片１０８の先端部には、上下の外側方に突出した突部１０９が形成される。このスペーサ１０２は、たとえばＡＢＳ樹脂などの合成樹脂から成る。突片１０８は、図３４の保持用凹溝８６における抜止め部８８の内面に、スペーサ１０２の弾発力で当接してスペーサ１０２がフレーム２に保持される。突片１０８の長さＬ４（図４０参照）は、保持用凹溝８６の抜止め部８８の幅Ｌ３（図３４参照）に等しい（Ｌ４＝Ｌ３）。
【００６６】
スペーサ１０２の下端部１０５は、下仕切板１４の第１前端部における第１前支持部７８に当接し、また上端部１０６は、上仕切板１３の第２前端部８３における第２前支持部８４に当接し、これらの第１および第２前端部７８，８３との間にわたってスペーサ１０２が配置されてフレーム２に取付けられる。スペーサ１０２の突条には、図３９に示されるように背後に開放した嵌合溝１１０が形成される。
【００６７】
図４１は、図２の切断面線ＸＸＸＸＩ−ＸＸＸＸＩから見た断面図である。図４１では、前述のようにパネル１１が前方に倒された施工、保守点検時の状況が参照符９６で示される。さらに下収納空間２３には、白熱灯または蛍光灯１１２などの光源１１２が収納される。この光源１１２を覆う下カバー部材２６には、透孔１１４が形成される。透孔１１４には、照明部材１１６が配置される。照明部材１１６は、透光性材料たとえばアクリル樹脂などの合成樹脂材料から成る。照明部材１１６は、透孔１１４に嵌まり込んで光源１１２からの光を外部に放射する照明部１１７を有し、この照明部１１７には、下収納空間２３内に延びる外周部を有する。照明部材１１６の前記外周部である一端部１１８は、特に図２７に明瞭に示されるように、係止部４７付近における嵌入溝５１に嵌入されて保持される。照明部材１１６の前記外周部の他端部１１９には、タッピングビス１２０が挿通する。このタッピングビス１２０は、カバー部材２６の特に図２８に示される固定用溝１２１に螺着される。
【００６８】
図４２はフレーム２とその付近を示す斜視図であり、図４３はフレーム２とその付近の構成を示す縦断面図である。フレーム２の背面板１２と上下の仕切板１３，１４によって形成される中間収納空間２２ａ，２２ｂ，２２ｃ（総括的に参照符２２で示すことがある）を長手方向に分割するためにセパレータ１２７と、セパレータ片１２８とが用いられる。これらのセパレータ１２７は、上下に仕切板１３，１４間で上下に延び、かつ背面板１２とパネル１１との間で前後（図４３の左右）に延びる。セパレータ１２７は、強電用接続端子５ａが収納される中間収納空間２２ｂと、弱電用接続端子５ｂ（前述の図２参照）が収納される中間収納空間２２ａと、医療用ガスなどのためのガス接続端子５ｃ（前述の図３２参照）が収納される中間収納空間２２ｃとの間を仕切るために設けられる。スペーサ１０７は、フレーム２の長手方向（図４２の左右方向、図４３の紙面に垂直方向）に変位して設定可能である。
【００６９】
図４４はセパレータ１２７の側面図であり、図４５はセパレータ１２７の正面図であり、図４６はセパレータ１２７の平面図である。セパレータ１２７の下部には、電線１２９または管路が挿通される前方（図４４の左方）に開放した切欠き１３０が形成される。セパレータ１２７の左右両側部には、切欠き１３０の上方で上下一対の挟持片１３１，１３２が突設される。
【００７０】
再び図４２を参照して、セパレータ片１２８は、横板１３３と縦板１３４とを有する。セパレータ片１２８は、これらの横板１３３と縦板１３４とがフレーム２の長手方向に垂直な断面がほぼＬ字状になるように組合わされて一体的に構成される。
【００７１】
セパレータ片１２８の横板１３３の長手方向端部（図４２の左右の端部）は、一対の挟持片１３１，１３２によって挟持される。縦板１３４は、切欠き１３０の開放した前端部付近を、図４３に示されるように閉じる。
【００７２】
一対の挟持片１３１，１３２のうち、上の挟持片１３１は、前後（図４４の左右方向）に延び、かつその前後の両端部には、下方に突出した凸部１３５，１３６がそれぞれ形成される。凸部１３５，１３６は、下方に凸であり、その外周面は丸みをおびて形成され、したがって横板１３３の図４２における中間収納空間２２ｂへの挿入を円滑化することができる。
【００７３】
下の挟持片１３２は、上の挟持片１３１の凸部１３５，１３６の前後方向のほぼ中央位置に突設される。この挟持片１３２は挟持片１３１に臨む面が上に凸であって丸みをおびて形成され、この実施の形態では、その挟持片１３２は直円柱状のピン状に構成され、これによって横板１３３の挿入を円滑に行うことができる。こうして凸部１３５，１３６と挟持片１３２との間で横板１３３が主として挟持片１３１の弾発力によって挟持されて支持されることができる。
【００７４】
セパレータ１２７の上部または下部のいずれか少なくとも一方（本実施の形態では上部および下部の両者）には、横の両側方に延びる支持板１３７，１３８がそれぞれ形成される。これらの支持板１３７，１３８は、対向する下仕切板１４および上仕切板１３に当接する。したがって、セパレータ１２７がフレーム２の長手方向に摺動して位置調整を行う際に、そのセパレータ１２７が倒れてしまうことがなく、位置決めを円滑に行うことができるとともに、作業性が向上する。
【００７５】
セパレータ１２７の前方端部は、薄肉に形成される。この端部１４０は、前述の図３８（３）および図３９に示されるスペーサ１０２の嵌合溝１１０に着脱可能に嵌合する。これによって、スペーサ１２７がフレーム２の長手方向に不所望にずれて変形することが防がれる。
【００７６】
図４７は、図４４のセクションＡ３３の拡大側面図である。セパレータ１２７には、図３６に関連して前述した保持部９９に弾発的に係止する保持爪１４２が形成される。この保持爪１４２は、セパレータ１２７の支持板１３８よりも後方（図４４、図４６および図４７の右方）に形成される。保持爪１４２は、基端部１４３を介して支持板部１３８に連なる。保持爪１４２の下方には、この保持爪１４２と基端部１４３が下方に弾発的に橈むことを可能にするための間隙１４４が形成される。セパレータ１２７の下にもまた、保持爪１４２と上下に対象な保持爪１４５が形成される。保持爪１４５は、図３６の保持部９９に形成された係止端部１００に弾発的に係止して保持される。係止爪１４２は、上仕切板１３の背面板１２寄りに形成されたもう１つの保持部１４６の係止端部１４７に弾発的に係止する。係止部１４６は、係止部９９と上下に対象に構成される（図３４参照）。支持板１３７，１３８は、三角形状のリブ１４８，１４９によって補強され、支持板１３７，１３８はセパレータ１２７に垂直に側方に延びる。
【００７７】
図４８は、本発明の実施の第２形態であるカードリーダ付収納ユニット２３３の構成を簡略して示す正面図である。収納ユニット２３３の構成は前記収納ユニット１の構成と類似し、対応する部分には同一の参照符号を付して説明を省略する。本実施の形態の収納ユニット２３３は、前記収納ユニット１に設けられている強電用接続端子５ａ、弱電用接続端子５ｂ、ガス接続端子５ｃ、読書灯１１２および照明部材１１６が省略されている点を除けば第１の実施の形態の収納ユニット１と同一の構成を有する。本実施の形態の収納ユニット２３３は、コンパクトにまとめられているので病院の一般病室ばかりではなく、看護および介護施設において好適に用いることができる。
【００７８】
以上述べたように、本発明の第１および第２の実施の形態では、フレーム２に設けられた取付手段１６５にはアーム２１３を介して液晶モニタ１６４が取付けられているけれども、液晶モニタ１６４に代わって治療用の処置灯などを設けてもよい。またカードリーダ１６０および取付手段１６５の構成は、第１および第２の実施の形態に限定されるものではなく、他の形態でもよい。また残り時間表示手段１７１の設置位置は本実施の形態と異なる位置に設けてもよい。
【００７９】
【発明の効果】
以上のように請求項１記載の本発明によれば、医療用配管配線接続端子およびカードリーダをコンパクトにまとめて収納することができるので、外観を向上することができる。また患者は起き上がることなくカードをカード挿排口に下方から挿入することができるので、患者の負担を軽減することができる。
【００８０】
また請求項２記載の本発明によれば、カードリーダをコンパクトにまとめて収納することができるので、外観を向上することができる。またカードリーダのカード挿排口がカバーから露出しているので、カバーを被せた状態でカードをカードリーダに挿排することができる。また患者は起き上がることなくカードをカード挿排口に下方から挿入することができるので、患者の負担を軽減することができる。
【００８１】
また請求項３記載の本発明によれば、医療用配管配線接続端子、カードリーダおよびチューナをコンパクトにまとめて収納することができるので、外観を向上することができる。
【００８２】
また請求項４記載の本発明によれば、残り時間表示手段が設けられているのでベッドに寝ている患者はテレビジョンの受信可能な残り時間を知ることができる。
【００８３】
また請求項５記載の本発明によれば、カード挿排部材はフレームの下方に臨むカード挿排口を有しているので、ベッドに寝ている患者はベッドに寝たままでカード挿排口に下方からカードを差込むことができる。したがって、ベッドから起上がる必要がなく、患者の負担を軽減することができる。またケーシングは上下変位調整可能であるので、搬送経路の下端部とカード挿排部材の内方端とを当接させて両者の距離が最短になるように調整することができる。したがって、カード挿排部材から外方へのカードの突出距離を充分に確保することができる。
【００８４】
また請求項６記載の本発明によれば、アームベースはフレームに取付部材および調整片を介して強固に固定されるので、アームの他端部に比較的重量の重い表示手段が設けられても、確実に支持することができる。
【図面の簡単な説明】
【図１】本発明の実施の第１形態であるカードリーダ付収納ユニット１の全体の構成を簡略化して示す斜視図である。
【図２】図１に示すカードリーダ付収納ユニット１の正面図である。
【図３】図１の切断面線ＩＩＩ−ＩＩＩから見た断面図である。
【図４】カバー３の分解した状態を示す正面図である。
【図５】図２の切断面線Ｖ−Ｖから見た断面図である。
【図６】図２に示すカードリーダ付収納ユニット１の一端部付近におけるカバー２およびパネル１１を取除いた状態の正面図である。
【図７】カードリーダ１６０の構成を簡略化して示す分解斜視図である。
【図８】ケーシングが位置決めされた状態を示す断面図である。
【図９】収納ユニット１の設置位置を示す斜視図である。
【図１０】図７に示すカードリーダ本体１９０の構成を簡略化して示す平面図である。
【図１１】カードリーダ１６０およびチューナ１６１の電気的構成を示すブロック図である。
【図１２】図２に示す取付手段１６５の構成を簡略化して示す分解斜視図である。
【図１３】図１２に示す取付部材２１０および調整片２１１の側面図である。
【図１４】図１３の平面図である。
【図１５】図１２に示すアームベース２１２の正面図である。
【図１６】図１５の平面図である。
【図１７】図１５の切断面線ＸＶＩＩ−ＸＶＩＩから見た断面図である。
【図１８】図１２に示すアーム２１３の構成を簡略化して示す模式図である。
【図１９】カバー３の内方から見た側板２８の正面図である。
【図２０】図１９の切断面線ＶＩ−ＶＩから見た断面図である。
【図２１】図１９の切断面線ＶＩＩ−ＶＩＩから見た断面図である。
【図２２】図１９の切断面線ＶＩＩＩ−ＶＩＩＩから見た断面図である。
【図２３】図１９の切断面線ＩＸ−ＩＸから見た断面図である。
【図２４】側板２８に形成される支持突部４１の拡大正面図である。
【図２５】図１０の切断面線ＸＩ−ＸＩから見た断面図である。
【図２６】下カバー部材２６の側面図である。
【図２７】図２６のセクションＸＩＩＩの拡大側面図である。
【図２８】図２６のセクションＸＩＶの拡大側面図である。
【図２９】フレーム２の下部に設けられる係止爪部材５２の側面図である。
【図３０】係止爪部材５２の正面図である。
【図３１】図１に示すフレーム２およびカバー３の構成を簡略化して示す分解斜視図である。
【図３２】図２の切断面線ＸＸＸＩＩ−ＸＸＸＩＩから見た断面図である。
【図３３】下仕切板１４の拡大した側面図である。
【図３４】上仕切板１３の拡大側面図である。
【図３５】上仕切板１３の保持体８５に形成された保持用凹溝８６に収納されるナット８９と介在片９０とを示す斜視図である。
【図３６】下仕切板１４の図２３におけるセクションＸＩＩの拡大側面図である。
【図３７】スペーサ１０２の側面図である。
【図３８】図３８（１）はスペーサ１０２の正面図であり、図３８（２）はスペーサ１０２の底面図であり、図３８（３）は図３８（１）の切断面線Ａ２４−Ａ２４から見た断面図である。
【図３９】スペーサ１０２の背面図である。
【図４０】スペーサ１０２の上端部１０６に形成された嵌合片１０７の拡大した側面図である。
【図４１】図２の切断面線ＸＸＸＸＩ−ＸＸＸＸＩから見た断面図である。
【図４２】フレーム２とその付近を示す斜視図である。
【図４３】フレーム２とその付近の構成を示す断面図である。
【図４４】セパレータ１２７の側面図である。
【図４５】セパレータ１２７の正面図である。
【図４６】セパレータ１２７の平面図である。
【図４７】図４４のセクションＡ３３の拡大側面図である。
【図４８】本発明の実施の第２形態であるカードリーダ付収納ユニット２３３の構成を簡略化して示す正面図である。
【符号の説明】
１  医療用配管配線接続端子収納ユニット
２  フレーム
３  カバー
５  接続端子
７  カバー装置
１１  パネル
１２  背面板
１６  壁面
２５  上カバー部材
２６  下カバー部材
１０２  スペーサ
１１２  読書灯
１２７  セパレータ
１２８  セパレータ片
１６０  カードリーダ
１６１  チューナ
１６３  ベッド
１６４  液晶モニタ
１６５  取付手段
１６７  遠隔操作手段
１６９  スピーカ
１７１  残り時間表示手段
１７２  押釦
１７３  ランプ
１７４  ネームプレート
１７５  吊り具
１８４  ケーシング
１９０  カードリーダ本体
１９１  カード挿排部材
１９３  カード挿排口
２０６  時間演算手段
２１０  取付部材
２１１  調整片
２１２  アームベース
２１３  アーム
２３３  カードリーダ付収納ユニット
【図１】
0004455705.tif 000002
【図２】
0004455705.tif 000003
【図３】
0004455705.tif 000004
【図４】
0004455705.tif 000005
【図５】
0004455705.tif 000006
【図６】
0004455705.tif 000007
【図７】
0004455705.tif 000008
【図８】
0004455705.tif 000009
【図９】
0004455705.tif 000010
【図１０】
0004455705.tif 000011
【図１１】
0004455705.tif 000012
【図１２】
0004455705.tif 000013
【図１３】
0004455705.tif 000014
【図１４】
0004455705.tif 000015
【図１５】
0004455705.tif 000016
【図１６】
0004455705.tif 000017
【図１７】
0004455705.tif 000018
【図１８】
0004455705.tif 000019
【図１９】
0004455705.tif 000020
【図２０】
0004455705.tif 000021
【図２１】
0004455705.tif 000022
【図２２】
0004455705.tif 000023
【図２３】
0004455705.tif 000024
【図２４】
0004455705.tif 000025
【図２５】
0004455705.tif 000026
【図２６】
0004455705.tif 000027
【図２７】
0004455705.tif 000028
【図２８】
0004455705.tif 000029
【図２９】
0004455705.tif 000030
【図３０】
0004455705.tif 000031
【図３１】
0004455705.tif 000032
【図３２】
0004455705.tif 000033
【図３３】
0004455705.tif 000034
【図３４】
0004455705.tif 000035
【図３５】
0004455705.tif 000036
【図３６】
0004455705.tif 000037
【図３７】
0004455705.tif 000038
【図３８】
0004455705.tif 000039
【図３９】
0004455705.tif 000040
【図４０】
0004455705.tif 000041
【図４１】
0004455705.tif 000042
【図４２】
0004455705.tif 000043
【図４３】
0004455705.tif 000044
【図４４】
0004455705.tif 000045
【図４５】
0004455705.tif 000046
【図４６】
0004455705.tif 000047
【図４７】
0004455705.tif 000048
【図４８】
0004455705.tif 000049